(57)【要約】      （修正有）【課題】断裁処理後の用紙に不要な線が残らない適切なトンボマークをユーザが設定できるようにする。【解決手段】用紙断裁用のトンボマークと画像データとを含む合成画像データを処理する画像処理装置において、用紙の後処理に関する後処理情報を設定するための操作部１１と、設定された後処理情報に基づいて、用紙の断裁位置よりも用紙端部側に位置するトンボマークであって用紙断裁に必要なトンボマークである端部トンボマークを含む合成画像データを用紙に印字する制御指令を生成する制御部１０と、を備える。【選択図】図２
2012019309.tif 000002
【特許請求の範囲】
【請求項１】
用紙断裁用のトンボマークと画像データとを含む合成画像データを処理する画像処理装置において、
用紙の後処理に関する後処理情報を設定する操作部と、
前記操作部により設定された前記後処理情報に基づいて、用紙の断裁位置よりも用紙端部側に位置するトンボマークであって用紙断裁に必要なトンボマークである端部トンボマークを含む前記合成画像データを用紙に印字する制御指令を生成する制御部と、
を備える画像処理装置。
【請求項２】
情報を表示する表示部を備え、
前記制御部は、
前記端部トンボマークを変更できない表示形態で前記表示部に表示させる請求項１に記載の画像処理装置。
【請求項３】
前記制御部は、
前記端部トンボマークとともに、前記後処理情報を前記表示部に表示させる請求項２に記載の画像処理装置。
【請求項４】
前記制御部は、
前記後処理情報にパンチ処理又はステイプル処理に関する情報を含む場合、前記合成画像データに含まれる前記トンボマークのうち、前記パンチ処理又はステイプル処理が実行されるパンチ位置又はステイプル位置の付近に位置するトンボマークを前記端部トンボマークに設定する請求項１から３のいずれか一項に記載の画像処理装置。
【請求項５】
前記制御部は、
前記後処理情報に中３つ折、外３つ折、ダブルパラレル又は観音折に関する情報を含む場合、前記合成画像データに含まれる前記トンボマークのうち、前記画像データを規定する四角形の四隅付近に位置するトンボマークを前記端部トンボマークに設定する請求項１から４のいずれか一項に記載の画像処理装置。
【請求項６】
前記制御部は、
前記後処理情報に中折、中綴じ又はくるみ製本に関する情報を含む場合、前記合成画像データに含まれる前記トンボマークのうち、前記画像データを規定する四角形の四隅付近に位置する所定のトンボマークを削除し、当該削除された所定のトンボマーク以外のトンボマークを前記端部トンボマークに設定する請求項１から４のいずれか一項に記載の画像処理装置。
【請求項７】
情報を記憶する記憶部を備え、
前記制御部は、
用紙の後処理をオフライン方式で構成された後処理装置で実行する場合、当該後処理装置で実行される前記後処理情報を前記記憶部に記憶させ、当該記憶された後処理情報に基づいて、前記端部トンボマークを含む前記合成画像データを用紙に印字する制御指令を生成する請求項１から６のいずれか一項に記載の画像処理装置。
【発明の詳細な説明】
【技術分野】
【０００１】
本発明は、画像処理装置に関する。
【背景技術】
【０００２】
ＰＣ（Personal Computer）等の外部機器から送信された画像データやスキャナ等で読み取った原稿の画像データに基づいて用紙上に画像形成を行う画像形成装置と、画像形成された用紙に、ステイプルやパンチング、紙折り、断裁等の後処理を実行する後処理装置とが広く普及している。
【０００３】
後処理装置における後処理は、ユーザにより設定される後処理情報に基づいて実行される。例えば、図１４及び図１５に示す後処理選択画面１４１、後処理設定画面１５１を介してユーザにより後処理の選択や設定が行われる。ここで、後処理選択画面１４１は、後処理を選択するための画面である。また、後処理設定画面１５１は、後処理選択画面１４１により選択された後処理の条件を設定するための画面である。
【０００４】
例えば、後処理としてパンチング（以下、パンチ）処理を実行する場合、図１４の後処理選択画面１４１において、ユーザにより「パンチ」の項目が選択される。そして、図１５に示す後処理設定画面１５１において、ユーザによりパンチ処理の条件であるパンチ穴の個数やパンチ位置などの設定が行われる。
【０００５】
また、後処理として用紙の断裁処理を行う場合、断裁の目印となるトンボマークが用紙上に画像形成、すなわち印字される。トンボマークは、例えば、図１６に示すトンボマーク選択画面１６１を介してユーザにより設定される。トンボマーク選択画面１６１では、トンボマークの位置や種類の設定が行われる。
【０００６】
後処理装置で実行される後処理としては、複数の後処理を併せて実行する場合も考えられる。例えば、パンチ処理と断裁処理とを併せて実行する場合などが考えられる。この場合、上述の後処理選択画面１４１及び後処理設定画面１５１を介して後処理の設定が実行され、トンボマーク選択画面１６１を介してトンボマークの設定が実行される。
【０００７】
また、用紙に対して断裁位置の目印、すなわちトンボマークを付加して印刷することにより、断裁時に用紙のズレが発生しても、断裁後の印刷物に不要な情報を残さずに仕上がり印刷物を得ることができる技術も知られている（例えば、特許文献１参照）。
【先行技術文献】
【特許文献】
【０００８】
【特許文献１】特開２００７−２７２７８０号公報
【発明の概要】
【発明が解決しようとする課題】
【０００９】
しかしながら、複数の後処理を併せて実行する場合に、図１４〜図１６を介して後処理の設定とトンボマークの設定とを行うと、ユーザは印字すべきでないトンボマークを誤って設定してしまい、断裁処理後の用紙に不要な線が残ってしまうという問題があった。
【００１０】
例えば、後処理選択画面１４１及び後処理設定画面１５１において、ユーザにより後処理としてパンチ処理が選択され、用紙の左側に２穴のパンチ処理を実行する設定が行われたとする。そして、トンボマーク選択画面１６１において、図１６に示すトンボマークＡ、Ｂ、Ｃの選択が行われたとする。この場合、用紙の左側には２穴のパンチ穴が空けられるため、用紙の左側は縦方向の断裁処理は実行されないこととなる。具体的には、図１６の破線Ｓの位置で断裁処理が実行される。このため、トンボマークＡが印字されると、断裁処理後の用紙にトンボマークＡの一部分であるＡ１が残ってしまう。すなわち、断裁処理後の用紙に不要な線が残ってしまうという問題があった。
【００１１】
また、上述の特許文献１には、パンチ処理などの後処理の設定に応じて、断裁処理後の用紙に不要な線が残らない適切なトンボマークをユーザが設定できる技術は記載されていない。
【００１２】
本発明の課題は、断裁処理後の用紙に不要な線が残らない適切なトンボマークをユーザが設定できるようにすることである。
【課題を解決するための手段】
【００１３】
上記課題を解決するため、請求項１に記載の発明の画像処理装置は、
用紙断裁用のトンボマークと画像データとを含む合成画像データを処理する画像処理装置において、
用紙の後処理に関する後処理情報を設定する操作部と、
前記操作部により設定された前記後処理情報に基づいて、用紙の断裁位置よりも用紙端部側に位置するトンボマークであって用紙断裁に必要なトンボマークである端部トンボマークを含む前記合成画像データを用紙に印字する制御指令を生成する制御部と、を備える。
【００１４】
請求項２に記載の発明は、請求項１に記載の画像処理装置において、
情報を表示する表示部を備え、
前記制御部は、
前記端部トンボマークを変更できない表示形態で前記表示部に表示させる。
【００１５】
請求項３に記載の発明は、請求項２に記載の画像形成装置において、
前記制御部は、
前記端部トンボマークとともに、前記後処理情報を前記表示部に表示させる。
【００１６】
請求項４に記載の発明は、請求項１から３のいずれか一項に記載の画像処理装置において、
前記制御部は、
前記後処理情報にパンチ処理又はステイプル処理に関する情報を含む場合、前記合成画像データに含まれる前記トンボマークのうち、前記パンチ処理又はステイプル処理が実行されるパンチ位置又はステイプル位置の付近に位置するトンボマークを前記端部トンボマークに設定する。
【００１７】
請求項５に記載の発明は、請求項１から４のいずれか一項に記載の画像処理装置において、
前記制御部は、
前記後処理情報に中３つ折、外３つ折、ダブルパラレル又は観音折に関する情報を含む場合、前記合成画像データに含まれる前記トンボマークのうち、前記画像データを規定する四角形の四隅付近に位置するトンボマークを前記端部トンボマークに設定する。
【００１８】
請求項６に記載の発明は、請求項１から４のいずれか一項に記載の画像処理装置において、
前記制御部は、
前記後処理情報に中折、中綴じ又はくるみ製本に関する情報を含む場合、前記合成画像データに含まれる前記トンボマークのうち、前記画像データを規定する四角形の四隅付近に位置する所定のトンボマークを削除し、当該削除された所定のトンボマーク以外のトンボマークを前記端部トンボマークに設定する。
【００１９】
請求項７に記載の発明は、請求項１から６のいずれか一項に記載の画像処理装置において、
情報を記憶する記憶部を備え、
前記制御部は、
用紙の後処理をオフライン方式で構成された後処理装置で実行する場合、当該後処理装置で実行される前記後処理情報を前記記憶部に記憶させ、当該記憶された後処理情報に基づいて、前記端部トンボマークを含む前記合成画像データを用紙に印字する制御指令を生成する。
【発明の効果】
【００２０】
本発明によれば、ユーザは、断裁処理後の用紙に不要な線が残らない適切なトンボマークを設定することができる。
【図面の簡単な説明】
【００２１】
【図１】本発明に係る画像形成装置、ＰＣ及び後処理装置の概略構成を示す図である。
【図２】画像形成装置の機能構成を示す図である。
【図３】ＰＣの機能構成を示す図である。
【図４】フラグ設定処理を示すフローチャートである。
【図５】後処理情報にパンチ処理に関する情報を含む場合における合成画像データの一例を示す図である。
【図６】３方裁断処理を示す図である。
【図７】後処理情報に中折、中綴じ又はくるみ製本に関する情報を含む場合における合成画像データの一例を示す図である。
【図８】（ａ）は中３つ折、（ｂ）は外３つ折、（ｃ）はダブルパラレル、（ｄ）は観音折を示す図である。
【図９】後処理情報に中３つ折、外３つ折、ダブルパラレス又は観音折に関する情報を含む場合における合成画像データの一例を示す図である。
【図１０】トンボ表示処理を示すフローチャートである。
【図１１】トンボマーク選択画面を示す図である。
【図１２】後処理設定変更処理を示すフローチャートである。
【図１３】後処理情報に中折、中綴じ又はくるみ製本に関する情報を含む場合における合成画像データの一例を示す図である。
【図１４】後処理選択画面を示す図である。
【図１５】後処理設定画面を示す図である。
【図１６】トンボマーク選択画面を示す図である
【発明を実施するための形態】
【００２２】
〔画像形成装置及び後処理装置の概略〕
先ず、図１に示す画像形成装置１、後処理装置５及びＰＣ９の概略構成図を用いて、画像形成装置１及び後処理装置５それぞれの概要について説明する。以下、本実施の形態では、画像形成装置１及び後処理装置５は、ＰＯＤ（Print On Demand）形式に適用される装置であるものとして説明する。また、本実施の形態において、画像形成装置１及びＰＣ９は、画像処理装置として機能する。
【００２３】
画像形成装置１は、原稿から画像を読み取り、読み取った画像を用紙に画像形成して出力するコピー機能や、ＰＣ９から画像データを含むページデータや各画像データの画像形成条件等を含むジョブデータを受信し、受信したジョブデータに基づいて画像を用紙上に形成して出力するプリント機能等を備えている。
【００２４】
図１に示すように、画像形成装置１は、操作部１１、表示部１２、載置された原稿を後述するスキャナ部１７のプラテンガラス上に給送するＡＤＦ部３２０、様々なサイズの用紙を収納して後述するプリンタ部１８へ当該用紙を供給する給紙トレイ３３０等を備えて構成される。
【００２５】
後処理装置５は、画像形成された用紙に、断裁処理、ステイプル処理、パンチ処理、中綴じ処理、中折処理、くるみ製本処理、中３つ折り処理、外３つ折り処理、ダブルパラレル処理、観音折り処理等の後処理を施す装置であって、必要に応じて本体（画像形成装置１）と連結して使用される装置である。後処理装置５は、後処理を行う用紙を挿入するインサータ７２０と、後処理を行う用紙束を収納する大容量トレイユニット７４０と、後処理を施した用紙を排出する排紙トレイ７３０とを備えて構成される。
【００２６】
ＰＣ９は、通信回線網Ｎを介して画像形成装置１と接続されている。ＰＣ９は、画像形成情報１４や後処理情報１５を設定できる機能を有する。
【００２７】
〔画像形成装置の構成〕
次に、図２を用いて、画像形成装置１の機能構成について説明する。図２は、画像形成装置１の機能構成の一例を示すブロック図である。図２に示すように、画像形成装置１は、制御部１０、操作部１１、表示部１２、ＨＤＤ（Hard Disk Drive）１６、スキャナ部１７、プリンタ部１８、ネットワーク部１９及びＩ／Ｆ部２０を備えて構成される。
【００２８】
制御部１０は、ＣＰＵ（Central Processing Unit）やＲＯＭ（Read Only Memory）、
ＲＡＭ（Random Access Memory）１３等により構成され、画像形成装置１を構成する各機能部に対する指示や、当該機能部間のデータ通信等を制御する。
【００２９】
制御部１０は、表示部１２に各種画面（例えば、後述する図１１に示すトンボマーク選択画面１１１等）を表示させ、操作部１１の操作によって選択・確定された設定内容を画像形成情報１４及び後処理情報１５として受け付けてＲＡＭ１３に記憶する。また、ＰＣ９において選択・確定された設定内容を通信回線網Ｎを介して受信して、画像形成情報１４及び後処理情報１５として受け付けてＲＡＭ１３に記憶する。
【００３０】
また、制御部１０は、後処理として断裁処理が選択されると、後処理情報１５に基づいてトンボマークを生成する。トンボマークとは、用紙に後処理を実行するために必要な目印のことをいう。トンボマークには、断裁処理を実行するための用紙断裁用のトンボマーク及び画像データの中心位置を表したトンボマークが含まれる。制御部１０は、生成されたトンボマークを、スキャナ部１７から出力された画像データ、ＨＤＤ１６に記憶された画像データ、又はＰＣ９から送信された画像データに合成し、トンボマークと画像データとを含む合成画像データを生成する。そして、制御部１０は、画像形成情報１４に基づいて、合成画像データの拡縮、方向転換等の画像処理を行い、合成画像データを印字させる制御指令を生成し、当該制御指令がプリンタ部１８に出力される。具体的には、制御部１０は、合成画像データに基づくＰＷＭ（Pulse Width  Modulation）信号を生成し、当該ＰＷＭ信号をプリンタ部１８に出力する。
【００３１】
また、制御部１０は、合成画像データを表示部１２に表示させる処理を行う。合成画像データとは、トンボマークと画像データとを含むデータであって、用紙の全体を表したデータのことをいう。
【００３２】
また、制御部１０は、後処理情報に基づいて、端部トンボマークを含む合成画像データを用紙に印字する制御指令を生成し、且つ、端部トンボマークを変更できない表示形態で表示部１２に表示させる。端部トンボマークとは、用紙の断裁位置よりも用紙端部側に位置するトンボマークであって用紙断裁に必要なトンボマークのことをいう。変更できない表示形態とは、ユーザ操作により、端部トンボマークを他の種類のトンボマークへ変更できないように表示する表示形態のことをいう。
【００３３】
ＲＡＭ１３は、画像形成情報１４と後処理情報１５とを記憶する。画像形成情報１４は、画像形成する部数、ページ数、用紙方向や原稿サイズ、出力用紙、ズーム率等といった画像形成を実行するための情報である。後処理情報１５は、断裁処理、ステイプル処理、パンチ処理、中綴じ処理、中折処理、くるみ製本処理、中３つ折り処理、外３つ折り処理、ダブルパラレル処理、観音折り処理等の後処理に関する選択情報や設定情報を含んだ情報のことをいう。選択情報とは、ユーザにより選択された後処理に関する情報のことをいう。例えば、ユーザにより後処理としてパンチ処理が選択された場合、パンチ処理が選択されたことを示す情報が選択情報に該当する。設定情報とは、後処理を実行するためにユーザにより設定された情報である。例えば、後処理を施す部数、ページ数、パンチ穴の個数、パンチ穴の位置、トンボマークの位置、トンボマークの種類等といった情報が設定情報に該当する。
【００３４】
操作部１１は、操作入力キーやタッチパネル等により構成され、押下されたキーに対応する押下信号や、タッチパネルを当接された位置に対応する位置信号等の操作信号を制御部１０に出力する。
【００３５】
表示部１２は、ＣＲＴ（Cathode-ray Tube）やＬＣＤ（Liquid Crystal Display）等により構成され、制御部１０から出力される表示データに基づいて各種設定画面（例えば、後述する図１１に示すトンボマーク選択画面１１１等）や画像の状態表示、各機能の動作状況等を表示出力する。  
【００３６】
ＨＤＤ１６は、画像形成情報１４、後処理情報１５等の各種データをハードディスクに蓄積記憶する機能部であり、ユーザにより選択されたデータを記憶する。
【００３７】
スキャナ部１７は、プラテンガラス、ＣＣＤ及び光源を備え、ＡＤＦ部３２０に載置された原稿に対して光源から照明走査した光の反射光をＣＣＤにより結像して光電変換することにより原稿の画像を読み取り、その画像の画像データを生成して制御部１０に出力する。
【００３８】
プリンタ部１８は、ＬＤ（Laser Diode）、感光体ドラム、帯電器、現像器、転写部、
定着器、用紙を供給する給紙トレイ３３０、搬送経路に沿って用紙を搬送する給紙ローラ等を備えて構成されている。
【００３９】
具体的にプリンタ部１８は、制御部１０の指示に基づいて、所定のサイズ及び方向の用紙を給紙トレイ３３０の何れかから給紙して、当該用紙を搬送経路上に搬送する。そして、感光体ドラム表面を帯電器により帯電させ、制御部１０から入力されたＰＷＭ信号に基づいてＬＤによって感光体ドラム表面にレーザ光を照射することにより静電潜像を形成し、感光体ドラム表面の静電潜像を含む領域に現像器によりトナーを付着させる。次いで、給紙トレイ３３０から搬送された用紙に転写部がトナーを転写して画像を形成する。そして、画像形成された用紙に定着器（図示省略）が定着処理を実行する。
【００４０】
ネットワーク部１９は、通信回線網Ｎを介してＰＣ９等の外部機器とデータ通信するための機能部であり、モデムやＬＡＮインターフェイス、ＵＳＢ等により構成される。Ｉ／Ｆ部２０は、接続された後処理装置５とデータ通信するための機能部であり、シリアルインターフェイス等により構成される。
【００４１】
〔ＰＣの構成〕
次に、図３を用いて、ＰＣ９の機能構成について説明する。図３は、ＰＣ９の機能構成の一例を示すブロック図である。図３に示すように、ＰＣ９は、制御部３０、操作部３１、表示部３２、記憶部３３、及び通信部３４を備えて構成される。
【００４２】
制御部３０は、ＣＰＵやＲＡＭ等により構成され、ＰＣ９を構成する各機能部に対する指示や、当該機能部間のデータ通信等を制御する。
【００４３】
操作部３１は、カーソルキー、数字入力キー及び各種機能キーなどを備えたキーボードを含む構成とし、操作者によりキーボードで押下された押下信号を制御部３０に出力する。また、操作部３１は、マウスなどのポインティングデバイスを含む構成としてもよい。
【００４４】
表示部３２は、ＬＣＤ、ＣＲＴ（Cathode Ray Tube）等で構成され、制御部３０からの表示信号に従って画面表示を行う。
【００４５】
記憶部３３は、ＨＤＤ等により構成され、各種プログラム及び各種データを記憶する。
通信部３４は、モデム、ＴＡ（Terminal Adapter）、ルータ、ネットワークカード等により構成され、通信回線網Ｎ上の画像形成装置１と情報を送受信する。
【００４６】
次に、画像形成装置１の動作を説明する。以下、インライン方式において動作が実行されるものとする。インライン方式とは、画像形成装置１から排出される用紙を後処理装置５に直接給紙するようにシステム構成された方式のことをいう。インライン方式では、後処理装置５は、画像形成装置１やＰＣ９側で設定された後処理情報を画像形成装置１から受信し、当該受信された後処理情報に基づいて後処理を実行する。
【００４７】
図４は、画像形成装置１で実行されるフラグ設定処理を示した図である。フラグ設定処理は、ユーザにより設定された後処理情報に基づいて、トンボマークに外トンボのみ印字フラグ又は印字禁止フラグを設定する処理である。
【００４８】
例えば、画像形成装置１において、後処理の設定指示又はトンボマークの設定指示等がユーザにより操作部１１を介して入力されたこと等をトリガとして、制御部１０のＲＯＭから読み出されて適宜ＲＡＭ１３に展開されたフラグ設定プログラムと、制御部１０のＣＰＵとの協働によりフラグ設定処理が実行される。
【００４９】
予め、画像形成装置１の表示部１２に、図１４に示す後処理選択画面１４１及び図１５に示す後処理設定画面１５１が表示され、ユーザにより後処理情報の設定が行われているものとする。また、例えば、図１６に示すトンボマーク選択画面１６１において、ユーザによりトンボマークのデフォルト情報の設定が行われ、トンボマークを含む合成画像データの生成が行われているものとする。なお、図１４に示す後処理選択画面１４１及び図１５に示す後処理選択画面１５１による後処理情報の設定と、図１６に示すトンボマーク選択画面１６１によるトンボマークの設定とは、ユーザにより別々に設定が行われるものであるが、本実施の形態では、ユーザにより設定された情報を総称して後処理情報と記すものとする。
また、合成画像データに含まれるトンボマークには、断裁処理の規定情報を示すデフォルト情報が設定されているものとする。具体的には、デフォルト情報とは、トンボマークの位置や種類に関する情報であって、フラグ設定処理を実行する前に予め定められている情報のことをいう。
【００５０】
先ず、パンチ又はステイプルが選択されているか否かが判別される（ステップＳ１）。具体的には、ユーザにより設定された後処理情報にパンチ処理又はステイプル処理が含まれているか否かが判別される。例えば、図１４に示す後処理選択画面１４１でユーザにより設定された情報に基づいて、パンチ処理又はステイプル処理が選択されているか否かが判別される。
【００５１】
ステップＳ１において、パンチ又はステイプルが選択されていると判別された場合（ステップＳ１；ＹＥＳ）、パンチ又はステイプル位置の確認が実行される（ステップＳ２）。具体的には、図１５に示す後処理設定画面１５１でユーザにより設定された情報の確認が実行される。例えば、後処理設定画面１５１において、用紙の左側にパンチ２穴との設定がされた場合、設定されたパンチ穴の位置確認が実行される。
【００５２】
ステップＳ２の実行後、外トンボのみ印字フラグがセットされる（ステップＳ３）。外トンボのみ印字フラグとは、用紙断裁用のトンボマークの一部分を削除するために、所定の用紙断裁用のトンボマークにセットされるフラグのことをいう。  
【００５３】
例えば、用紙の左側にパンチ２穴を空ける設定がされており、図５に示すトンボマーク５Ａ、５Ｂ、５Ｃがトンボマークのデフォルト情報として設定されていたとする。図５は、後処理情報にパンチ処理に関する情報を含む場合における合成画像データＰの一例を示した図である。トンボマーク５Ａ、５Ｃは用紙断裁用のトンボマークであり、トンボマーク５Ｂは、画像データの中心位置を表したトンボマークである（以下、用紙断裁用のトンボマークをコーナートンボ、画像データの中心位置を表したトンボマークをセンタートンボと記す）。破線Ｓは用紙の断裁位置を表した断裁線を示す。枠Ｇは画像データを規定する四角形の枠である。枠Ｇの領域内に画像データが表示される。枠Ｔは用紙を規定する四角形の枠である。また、枠Ｔは用紙の端部を示す。○印はパンチ穴を示す。
【００５４】
図５の場合、パンチ穴の付近に位置するトンボマーク５Ａに外トンボのみ印字フラグがセットされる。外トンボのみ印字フラグのセットされたトンボマーク５Ａは、断裁位置よりも用紙端部側に位置するトンボマークであって用紙断裁に必要なトンボマーク、すなわち端部トンボマークに設定される。具体的には、トンボマーク５Ａのうち破線５Ａ２が合成画像データ内から削除され、実線５Ａ１が端部トンボマークとして設定される。そして、端部トンボマークとして設定された実線５Ａ１を含む合成画像データを用紙に印字する制御指令が生成され、当該生成された制御指令がプリンタ部１８に送信される。また、後述するトンボ表示処理において、端部トンボマークとして設定された実線５Ａ１が表示部１２に表示される。
また、例えば、パンチ位置又はステイプル位置をトンボマーク５Ａの破線５Ａ２よりも紙面右側に移動させることにより、破線５Ａ２を合成画像データ内から削除せず、残すこととしてもよい。
図４に戻り、ステップＳ３の実行後、後述するステップＳ４に移行される。
【００５５】
ステップＳ１において、パンチ又はステイプルが選択されていないと判別された場合（ステップＳ１；ＮＯ）、中綴じ、中折又はくるみ製本が選択されているか否かが判別される（ステップＳ４）。具体的には、設定された後処理情報に中折、中綴じ又はくるみ製本に関する情報が含まれているか否かが判別される。本ステップは、ステップＳ１と同様に、図１３に示す後処理選択画面１３１においてユーザにより設定入力された情報に基づいて判別が実行される。
【００５６】
ステップＳ４において、中綴じ、中折、又はくるみ製本が選択されていると判別された場合（ステップＳ４；ＹＥＳ）、折りモードの確認が実行される（ステップＳ５）。すなわち、選択された後処理に対応する折モードの確認が実行される。例えば、中綴じ又は中折に対応する折モードは中折モードである旨の確認が実行される。  
【００５７】
ステップＳ５の実行後、印字禁止フラグがセットされる（ステップＳ６）。印字禁止フラグとは、合成画像データ内からコーナートンボを削除するためのフラグである。
【００５８】
例えば、後処理情報に中折、中綴じ、又はくるみ製本に関する情報が含まれ、３方断裁処理が実行されるとする。３方裁断処理とは、図６に示すように、用紙を中央で２つ折りにした状態から３つの線に沿って用紙断裁が実行される処理のことをいう。
【００５９】
ここで、例えば、図７に示すトンボマーク６Ｂ、６Ｃ、６Ｄ、６Ｅ、６Ｆがトンボマークのデフォルト情報として設定されていたとする。図７は、後処理情報に中折、中綴じ又はくるみ製本に関する情報を含む場合における合成画像データの一例を示した図である。トンボマーク６Ｂはセンタートンボであり、トンボマーク６Ｃ〜６Ｆはコーナートンボである。トンボマーク６Ｃ〜６Ｆは、枠Ｇの四隅付近に位置する。
【００６０】
このとき、図７に示すトンボマーク６Ｅ、６Ｆがトンボマーク６Ｃ、６Ｄとそれぞれ左右対称の位置に印字されれば、用紙を中央で２つ折りにして３方断裁処理を行ってもトンボマーク６Ｅ、６Ｆが３方断裁処理後に用紙上に残ることはない。しかし、トンボマーク６Ｅ、６Ｆがトンボマーク６Ｃ、６Ｄと左右非対称の位置に印字された状態で用紙を中央で２つ折りにして３方断裁処理が行われると、トンボマーク６Ｅ、６Ｆが断裁処理後の用紙に印字されたまま残ってしまう可能性もある。
【００６１】
また、トンボマーク６Ｃ〜６Ｆのうち、トンボマーク６Ｃ、６Ｄ（又はトンボマーク６Ｅ、６Ｆ）が用紙に印字されていれば、３方断裁処理は実行可能である。この場合、トンボマーク６Ｃ、６Ｄ（又はトンボマーク６Ｅ、６Ｆ）が用紙断裁に必要なトンボマークとなる。このため、後処理情報に中折、中綴じ、又はくるみ製本を含む場合、枠Ｇの四隅付近に位置するトンボマーク６Ｃ〜６Ｆのうち、トンボマーク６Ｅ、６Ｆ（又はトンボマーク６Ｃ、６Ｄ）に印字禁止フラグがセットされる。本実施の形態では、トンボマーク６Ｅ、６Ｆに印字禁止フラグがセットされるものとする。
【００６２】
印字禁止フラグのセットされたトンボマーク６Ｅ、６Ｆは合成画像データ内から削除される。この場合、印字禁止フラグのセットされなかったトンボマーク６Ｃ、６Ｄが端部トンボマークとして設定される。そして、端部トンボマークとして設定されたトンボマーク６Ｃ、６Ｄを含む合成画像データを用紙に印字する制御指令が生成され、当該生成された制御指令がプリンタ部１８に送信される。また、後述するトンボ表示処理において、端部トンボマークとして設定されたトンボマーク６Ｃ、６Ｄが表示部１２に表示される。
図４に戻り、ステップＳ７の実行後、フラグ設定処理は終了される。
【００６３】
ステップＳ４に戻り、中綴じ、中折又はくるみ製本が選択されていると判別されなかった場合（ステップＳ４；ＮＯ）、中３つ折、外３つ折、ダブルパラレル又は観音折りが選択されたか否かが判別される（ステップＳ７）。具体的には、後処理情報に中３つ折、外３つ折、ダブルパラレル又は観音折りに関する情報が含まれているか否かが判別される。本ステップは、ステップＳ１と同様に、後処理選択画面１４１においてユーザにより設定入力された情報に基づいて判別が実行される。ここで、中３つ折、外３つ折、ダブルパラレル、観音折りとは、図８に示すような用紙の折り方法のことをいう。図８の（ａ）は中３つ折、（ｂ）は外３つ折、（ｃ）はダブルパラレル、（ｄ）は観音折をそれぞれ示す。
【００６４】
ステップＳ７において、中３つ折、外３つ折、ダブルパラレル又は観音折りが選択されていると判別された場合（ステップＳ７；ＹＥＳ）、折りモードの確認が実行される（ステップＳ８）。そして、外トンボのみ印字フラグがセットされる（ステップＳ９）。例えば、図９に示すトンボマーク９Ａ、９Ｂ、９Ｃ、９Ｄ、９Ｅがトンボマークのデフォルト情報として設定されていたとする。図９は、後処理情報に中３つ折、外３つ折、ダブルパラレス又は観音折に関する情報が含まれている場合における合成画像データの一例を示した図である。トンボマーク９Ａ〜９Ｄはコーナートンボである。トンボマーク９Ａ〜９Ｄは枠Ｇの四隅付近に位置する。また、トンボマーク９Ｅはセンタートンボを示す。
【００６５】
図９の場合において、例えば、後処理情報として、実線９Ａ１、９Ｂ１、９Ｃ１、９Ｄ１のそれぞれから横に数ｍｍ、縦に数ｍｍといった位置で断裁処理を実行する旨の情報を設定しておけば、実線Ａ１、Ｂ１、Ｃ１、Ｄ１のみで断裁処理が実行可能となる。この場合、実線Ａ１、Ｂ１、Ｃ１、Ｄ１が用紙断裁に必要なトンボマークとなる。このため、枠Ｇの四隅付近に位置するトンボマーク９Ａ、９Ｂ、９Ｃ、９Ｄに外トンボのみ印字フラグがセットされる。そして、当該セットされたトンボマーク９Ａ、９Ｂ、９Ｃ、９Ｄが端部トンボマークに設定される。具体的には、トンボマーク９Ａ、９Ｂ、９Ｃ、９Ｄのうち、破線部分は合成画像データから削除され、実線９Ａ１、９Ｂ１、９Ｃ１、９Ｄ１が端部トンボマークとして設定される。そして、端部トンボマークとして設定された実線９Ａ１、９Ｂ１、９Ｃ１、９Ｄ１を含む合成画像データを用紙に印字する制御指令が生成され、当該生成された制御指令がプリンタ部１８に送信される。また、後述するトンボ表示処理において、端部トンボマークとして設定された実線９Ａ１、９Ｂ１、９Ｃ１、９Ｄ１が表示部１２に表示される。このとき、折機能が選択されているので、断裁処理後の用紙に印字されるのを防ぐために実線９Ｃ１、９Ｄ１は印字禁止にしても良いが、実線９Ｃ１、９Ｄ１のみであれば、断裁処理後の用紙に印字される可能性は低いため、実線９Ｃ１、９Ｄ１についても端部トンボマークとして設定される。
ステップＳ９の実行後、フラグ設定処理は終了される。
【００６６】
次に、図１０を参照して、トンボ表示処理を説明する。トンボ表示処理は、セットされた外トンボのみ印字フラグ又は印字禁止フラグに応じて、トンボマークを表示部１２に表示させる処理である。
【００６７】
例えば、画像形成装置１において、後述するトンボマーク選択画面１１１を表示させるための指示等がユーザにより操作部１１を介して入力されたことをトリガとして、制御部１０のＲＯＭから読み出されて適宜ＲＡＭ１３に展開されたトンボ表示プログラムと、制御部１０のＣＰＵとの協働によりトンボ表示処理が実行される。
【００６８】
予め、図４で示したフラグ設定処理が実行されているものとして説明する。また、フラグ設定処理においてフラグがセットされたトンボマークについては、当該セットされたフラグと関連付けられて端部トンボマークがＲＡＭ１３に記憶されているものとする。また、フラグのセットされていないトンボマークについては、デフォルト情報がＲＡＭ１３に記憶されているものとする。例えば、図５に示すトンボマーク５Ａ、５Ｂ、５Ｃの場合、トンボマーク５Ａには外トンボのみ印字フラグがセットされている。この場合、トンボマーク５Ａとして、端部トンボマークを表す実線５Ａ１が記憶されており、当該トンボマーク５Ａと外トンボのみ印字フラグとが関連付けられてＲＡＭ１３に記憶されているものとする。一方、トンボマーク５Ｂ、５Ｃについては、デフォルト情報がＲＡＭ１３に記憶されているものとする。
【００６９】
先ず、チェックすべきトンボが読み出される（ステップＳ２１）。チェックすべきトンボとは、デフォルト情報としてＲＡＭ１３に記憶されているトンボマーク及び端部トンボマークとしてＲＡＭ１３に記憶されているトンボマークのことをいう。具体的には、本ステップでは、ＲＡＭ１３から１個ずつトンボマークが読み出される。
【００７０】
ステップＳ２１の実行後、読み出されたトンボマークのうち、外トンボのみ印字フラグがセットされているトンボマークがあるか否かが判別される（ステップＳ２２）。例えば、図５に示すトンボマーク５Ａ１、５Ｂ１、５Ｃ１のうち、トンボマーク５Ａ１には外トンボのみ印字フラグがセットされている。したがって、トンボマーク５Ａ１が読み出された際は、外トンボのみ印字フラグがセットされていると判別される。
【００７１】
ステップＳ２２において、外トンボのみ印字フラグがセットされていると判別された場合（ステップＳ２２；ＹＥＳ）、センタートンボであるか否かが判別される（ステップＳ２３）。具体的には、トンボマークのデフォルト情報には、トンボマークの種類を示す種類情報も含まれている。例えば、図５に示すトンボマーク５Ａ１、５Ｂ１、５Ｃ１の場合、トンボマーク５Ｂ１にはセンタートンボである旨の種類情報が関連付けられている。このトンボマークの種類情報に基づいて、読み出されたトンボマークはセンタートンボであるか否かが判別される。
【００７２】
ステップＳ２３において、センタートンボであると判別された場合（ステップＳ２３；ＹＥＳ）、センタートンボが表示される。例えば、図５のトンボマーク５Ｂがセンタートンボとして表示される。ステップＳ２３の実行後、後述するステップＳ２７に移行される。ステップＳ２３において、センタートンボでないと判別された場合（ステップＳ２３；ＮＯ）、外トンボが表示される（ステップＳ２４）。
【００７３】
例えば、図５の場合、端部トンボマークとして設定された実線５Ａ１が外トンボとして表示部１２に表示される。また、例えば、図９の場合、端部トンボマークとして設定された実線９Ａ１、９Ｂ１、９Ｃ１、９Ｄ１が外トンボとして表示部１２に表示される。ステップＳ２４の実行後、後述するステップＳ２７に移行される。
【００７４】
ステップＳ２２に戻り、外トンボのみ印字フラグがセットされていないと判別された場合（ステップＳ２２；ＮＯ）、印字禁止フラグがセットされているか否かが判別される（ステップＳ２５）。具体的には、読み出されたトンボマークに印字禁止フラグがセットされているか否かが判別される。例えば、図６に示すトンボマーク６Ｅ、６Ｆが読み出された場合、当該トンボマーク６Ｅ、６Ｆには印字禁止フラグがセットされている。この場合、印字禁止フラグはセットされていると判別される。
【００７５】
ステップＳ２５において、印字禁止フラグがセットされていると判別された場合（ステップＳ２５；ＹＥＳ）、印字禁止フラグのセットされているトンボマークは合成画像データ内から削除されているので、表示部１２に表示されない。例えば、図６に示すトンボマーク６Ｅ、６Ｆは表示部１２に表示されない。そして、後述するステップＳ２７に移行される。
【００７６】
ステップＳ２５において、印字禁止フラグがセットされていないと判別された場合（ステップＳ２５；ＮＯ）、通常トンボが表示される（ステップＳ２６）。通常トンボとは、ＲＡＭ１３から読み出されたデフォルト情報のままのトンボマークのことをいう。例えば、図７の場合、印字禁止フラグがセットされず、端部トンボマークとして設定されているトンボマーク６Ｃ、６Ｄが通常トンボに該当し、当該トンボマーク６Ｃ、６Ｄが表示部１２に表示される。
【００７７】
ステップＳ２６の実行後、全トンボチェックが完了したか否かが判別される（ステップＳ２７）。具体的には、デフォルト情報としてＲＡＭ１３に記憶された全トンボが全て読み出されたか否かが判別される。ステップＳ２７において、全トンボチェックされていないと判別された場合（ステップＳ２７；ＮＯ）、ステップＳ２１に移行される。ステップＳ２７において、全トンボチェックされたと判別された場合（ステップＳ２７；ＹＥＳ）、トンボ表示処理は終了される。
【００７８】
上述のトンボマーク表示処理が実行された場合において、表示部１２に表示される画面の一例として、図１１にトンボマーク選択画面１１１を示す。図１１に示すように、トンボマーク選択画面１１１は、コーナートンボ選択ボタン１１１Ａと、センタートンボ選択ボタン１１１Ｂと、折り機能表示部１１１Ｃと、トンボマーク表示部１１１Ｄと、を有する。
【００７９】
コーナートンボ選択ボタン１１１Ａは、コーナートンボの種類を選択するためのボタンである。コーナートンボ選択ボタン１１１Ａのうち、タイプ１〜３のいずれのボタンが押下されることにより、コーナートンボが選択される。ＡＵＴＯボタンが選択された場合は、コーナートンボの種類（タイプ１〜タイプ３）が自動的に選択される。ＯＦＦボタンが選択された場合は、コーナートンボが表示部１２に表示されなくなる。
【００８０】
センタートンボ選択ボタン１１１Ｂは、センタートンボを印字するか否か（ＯＮ、ＯＦＦするか否か）を選択するためのボタンである。折り機能表示部１１１Ｃは、ユーザにより選択された折機能を表示するための表示部である。
【００８１】
トンボマーク表示部１１１Ｄは、トンボマークと画像データ（図示省略）と含む合成画像データを表示するための表示部である。例えば、上述の図５、図７、図９で示した合成画像データＰがトンボマーク表示部１１１Ｄに表示される。
【００８２】
例えば、後処理情報としてパンチ処理及び断裁処理が設定され、図１６に示すトンボマークＡ、Ｂ、Ｃがデフォルト情報として設定されていたとする。
【００８３】
この場合、パンチ処理によりパンチ穴側の縦方向の断裁処理は実行されない。具体的には、図１１に示す断裁線Ｓに沿って断裁処理が実行される。このため、パンチ穴付近に位置するトンボマーク（例えば、図１６に示すトンボマークＡ）の一部が断裁処理後の用紙に印字されないように、パンチ穴付近のトンボマークには、外トンボのみ印字フラグがセットされる。そして、外トンボのみ印字フラグのセットされたトンボマークは、端部トンボマークとしてトンボマークＡ２に設定される。具体的には、用紙の断裁位置を表す断裁線Ｓよりも用紙端部側に位置するトンボマークであって用紙断裁に必要なトンボマークとして「―」マークで表されるトンボマークＡ２（以下、「―」マークと記す）に設定される。
【００８４】
そして、「―」マークを含む合成画像データを用紙に印字する制御指令が生成される。生成された制御指令はプリンタ部１８に送信され、当該制御指令に基づいて、「―」マークを含む合成画像データを用紙に印字する処理がプリンタ部１８により実行される。また、「―」マークは、変更できない表示形態で表示部１２に表示される。具体的には、コーナートンボ選択ボタン１１１Ａを介してのユーザ操作により、「―」マークをタイプ１〜タイプ３のような他のコーナートンボに変更できない表示形態で「―」マークが表示される。したがって、ユーザは、トンボマークＣを他のコーナートンボに変更したり、トンボマークＢのＯＮ、ＯＦＦを変更することはできるが、「―」マークの変更はできない。
【００８５】
また、端部トンボマークとして設定された図５のトンボマーク５Ａの実線Ａ１、図７のトンボマーク６Ｃ、６Ｄ、又は図９のトンボマーク９Ａ、９Ｂ、９Ｃ、９Ｄの実線Ａ１についても、変更できない表示形態で表示部１２に表示される。
【００８６】
また、図１１に示すように、トンボマーク表示部１１１Ｄには、パンチ穴ｄの数やパンチ位置も表示される。
【００８７】
次に、図１２を参照して、後処理設定変更処理を説明する。後処理設定変更処理は、図１４に示す後処理選択画面１４１及び図１５に示す後処理設定画面１５１において後処理の設定変更が行われた場合、フラグを変化させ、フラグが変化したことを表示する処理である。
【００８８】
例えば、画像形成装置１において、後処理設定変更処理の実行指示が操作部１１を介して入力されたこと等をトリガとして、制御部１０のＲＯＭから読み出されて適宜ＲＡＭ１３に展開された後処理設定変更プログラムと、制御部１０のＣＰＵとの協働により後処理設定変更処理が実行される。
【００８９】
予め、フラグ設定処理及びトンボ表示処理が実行されているものとする。以下、図４で説明したフラグ設定処理と異なる部分を主として説明する。
【００９０】
先ず、後処理選択画面１４１及び後処理設定画面１５１においてユーザからの設定入力が受け付けられる。そして、パンチ又はステイプル状態が変化したか否かが判別される（ステップＳ３１）。具体的には、フラグ設定処理の前に後処理選択画面１４１及び後処理設定画面１５１において入力された情報と、本処理の実行時における後処理選択画面１４１及び後処理設定画面１５１において入力された情報とに基づいて、ユーザによりパンチ又はステイプルの設定情報が変更されたか否かが判別される。例えば、フラグ設定処理の実行前に、パンチ処理を実行する旨が設定されていたが、本処理の実行時においてパンチ処理を実行しない旨の設定がされた場合、本ステップではＹＥＳと判別される。
【００９１】
ステップＳ３１において、パンチ又はステイプル状態が変化したと判別された場合（ステップＳ３１；ＹＥＳ）、ステップＳ３２に移行される。ステップＳ３２は、フラグ設定処理のステップＳ２と同様である。
【００９２】
ステップＳ３２の実行後、本処理の実行時における後処理選択画面１４１及び後処理設定画面１５１において入力された情報に基づいて、外トンボのみ印字フラグがセット又はリセットされる（ステップＳ３３）。ステップＳ３３の実行後、後述するステップＳ３４に移行される。
【００９３】
ステップＳ３１に戻り、パンチ又はステイプル状態が変化していないと判別された場合（ステップＳ３１；ＮＯ）、中綴じ、中折、又はくるみ製本状態が変化したか否かが判別される（ステップＳ３４）。本ステップは、ステップＳ３１と同じくフラグ設定処理の前に後処理選択画面１４１及び後処理設定画面１５１において入力された情報と、本処理の実行時における後処理選択画面１４１及び後処理設定画面１５１において入力された情報とに基づいて、ユーザにより中綴じ、中折、またはくるみ製本の設定情報が変更されたか否かが判別される。
【００９４】
ステップＳ３４において、中綴じ、中折、又はくるみ製本状態が変化したと判別された場合（ステップＳ３４；ＹＥＳ）、ステップＳ３５に移行される。ステップＳ３５は、フラグ設定処理のステップＳ５と同様である。
【００９５】
ステップＳ３５の実行後、本処理の実行時における後処理選択画面１３１及び後処理設定画面１４１において入力された情報に基づいて、印字禁止フラグのセット又はリセットが実行される（ステップＳ３６）。ステップ３７の実行後、後述するステップＳ４０に移行される。
【００９６】
ステップＳ３４に戻り、中綴じ、中折、又はくるみ製本状態が変化していないと判別された場合（ステップＳ３４；ＮＯ）、中３つ折り、外３つ折り、ダブルパラレル又は観音状態が変化したか否かが判別される（ステップＳ３７）。本ステップは、ステップＳ３１と同じくフラグ設定処理の前に後処理選択画面１４１及び後処理設定画面１５１において入力された情報と、本処理の実行時における後処理選択画面１４１及び後処理設定画面１５１において入力された情報とに基づいて、中３つ折り、外３つ折り、ダブルパラレル又は観音折の設定情報が変更されたか否かが判別される。
【００９７】
ステップＳ３７において、中３つ折り、外３つ折り、ダブルパラレル又は観音状態が変化したと判別された場合（ステップＳ３７；ＹＥＳ）、ステップＳ３８に移行される。ステップＳ３８は、フラグ設定処理のステップＳ９と同様である。
【００９８】
ステップＳ３８の実行後、本処理の実行時における後処理選択画面１４１及び後処理設定画面１５１において入力された情報に基づいて、外トンボのみ印字フラグがセット又はリセットされる（ステップＳ３９）。
【００９９】
ステップＳ３９の実行後、トンボ状態変化フラグがセットされる（ステップＳ４０）。トンボ状態変化フラグとは、後処理の設定情報が変化したことを示すフラグのことをいう。ステップＳ４０の実行後、後述するステップＳ４１に移行される。
【０１００】
ステップＳ３７に戻り、中３つ折り、外３つ折り、ダブルパラレル又は観音状態が変化したと判別された場合（ステップＳ３７；ＮＯ）、後処理の設定が終了したか否かが判別される（ステップＳ４１）。具体的には、後処理選択画面１４１及び後処理設定画面１５１における設定入力を終了する旨の入力がされたか否かに基づいて、本ステップの判別が行われる。
【０１０１】
ステップＳ４１において、後処理の設定が終了していないと判別された場合（ステップＳ４３；ＮＯ）、ステップＳ３１に移行される。ステップＳ４１において、後処理の設定が終了していると判別された場合（ステップＳ４１；ＹＥＳ）、トンボ状態変化フラグに基づいて、トンボ状態フラグがセットされたか否かが判別される（ステップＳ４２）。ステップＳ４２において、トンボ状態フラグがセットされていると判別された場合（ステップＳ４２；ＹＥＳ）、後処理の設定情報が変化したことを示すウォーニング画面、すなわち警告画面が表示される（ステップＳ４３）。例えば、「後処理の設定の変更により、印字すべきトンボマークの変更があります」との警告が表示部１２に表示される。ステップＳ４３の実行後、後処理設定変更処理は終了される。なお、ステップＳ４３の実行後に、図１０に示すトンボ表示処理に自動的に移行することとしてもよい。
【０１０２】
ステップＳ４２において、トンボ状態フラグがセットされていないと判別された場合（ステップＳ４２；ＮＯ）、後処理設定変更処理は終了される。
【０１０３】
以上、本実施の形態によれば、後処理情報に基づいて、端部トンボマークを含む合成画像データを用紙に印字する制御指令を生成し、且つ、端部トンボマークを変更できない表示形態で表示部１２に表示する。例えば、後処理情報にパンチ処理を含む場合、図１１に示すように、パンチ位置の付近のトンボマークを「―」マークに設定する。そして、「―」マークを含む合成画像データを用紙に印字する制御指令を生成し、且つ、「―」マークを変更できない表示形態で表示部１２に表示する。このため、ユーザは、図１１に示すトンボマークＢ、Ｃを変更することはできるが、「―」マークを他のトンボマークへ変更できない。すなわち、ユーザは「―」マークを断裁処理後の用紙に不要な線が残るようなトンボマークに変更することはない。したがって、断裁処理をパンチ処理等と組合せた場合において、ユーザは、断裁処理後の用紙に不要な線が残らない適切なトンボマークの設定をすることができる。また、制御指令に基づいて、「―」マークを含む合成画像データが用紙に印字されるので、断裁処理後の用紙にトンボマークが残るといった印字ミスを防ぐことができる。このため、ＰＯＤのような大量印刷を行う分野においては、印字ミスによる用紙の無駄の大量発生を防ぐことが可能となる。
【０１０４】
また、例えば、図１１に示すように、後処理情報としてパンチ穴の数やパンチ位置が表示部１２に表示される。また、パンチ処理の他にも中綴じが選択されていた場合、後処理情報として中綴じが選択されたことを示す情報が表示部１２に表示される。これにより、ユーザは、後処理情報として、例えば、パンチ穴の個数、位置、又は中綴じが設定されていることを認識することができる。
【０１０５】
また、後処理情報に中３つ折、外３つ折、ダブルパラレル又は観音折に関する情報を含む場合、端部トンボマークとして設定された実線９Ａ１、９Ｂ１、９Ｃ１、９Ｄ１を含む合成画像データを用紙に印字する制御指令が生成され、且つ、実線９Ａ１、９Ｂ１、９Ｃ１、９Ｄ１が変更できない表示形態で表示される。この場合、例えば、後処理情報として、実線９Ａ１、９Ｂ１、９Ｃ１、９Ｄ１のそれぞれから横に数ｍｍ、縦に数ｍｍといった位置で断裁処理を実行する旨の情報を設定しておけば、断裁処理が実行可能となる。このため、断裁処理に必要な実線Ａ１、Ｂ１、Ｃ１、Ｄ１のみを用紙に印字させることができるので、無駄なトンボマークの印字を防ぐことができる。
【０１０６】
また、後処理情報に、中折、中綴じ又はくるみ製本に関する情報を含む場合、端部トンボマークとして設定されたトンボマーク６Ｃ、６Ｄを含む合成画像データを用紙に印字する制御指令が生成され、且つ、トンボマーク６Ｃ、６Ｄが変更できない表示形態で表示される。これにより、トンボマーク６Ｅ、６Ｆは用紙に印字されることはないので、トンボマーク６Ｅ、６Ｆが断裁処理後の用紙に残ってしまうことを防ぐことができる。
【０１０７】
また、ユーザは、センタートンボを参照することで、後処理として折処理、すなわち、中折、中綴じ又はくるみ製本、中３つ折、外３つ折、ダブルパラレル又は観音折が選択されていることを認識することができる。
【０１０８】
なお、上記実施の形態における記述は、本発明に係る画像形成装置の一例であり、これに限定されるものではない。
【０１０９】
例えば、上記実施の形態においては、画像形成装置１で動作が実行されることとしたがこれに限定されるものではない。例えば、画像形成装置１の代わりに、ＰＣ９において上述の処理、すなわち、フラグ設定処理、トンボ表示処理及び後処理設定変更処理を制御部３０が実行し、各種表示画面（図５、図７、図９及び図１１等）をＰＣ９の表示部３２に表示させることとしてもよい。
【０１１０】
また、上記実施の形態では、インライン方式について説明したが、これに限定されるものではない。例えば、オフライン方式において、上述の処理を実行することとしてもよい。ここで、オフライン方式とは、画像形成装置１から排出される画像形成された用紙を後処理装置５に直接給紙するように構成されたものではなく、画像形成装置１と後処理装置５とがそれぞれ独立して構成された方式のことをいう。
【０１１１】
例えば、オフライン方式において上述の処理を実行する場合、先ず、画像形成装置１の操作部１１を介して後処理装置５から後処理情報を登録する旨の設定が行われる。そして、当該設定により、後処理装置５から後処理情報が画像形成装置１に送信され、当該送信された後処理情報がＲＡＭ１３に記憶される。そして、画像形成装置１において、ＲＡＭ１３に記憶された後処理情報に基づいて、上述の処理が実行される。
【０１１２】
また、図７において、コーナートンボ６Ｅ、６Ｆを削除することとしたが、これに限定されるものではない。例えば、折の条件（中綴じ、中折、くるみ製本等）に応じては、図１３に示すように、６Ｅ、６Ｆを削除させるとともに、６Ｅ、６Ｆの外トンボ部分を中央付近にシフトさせて、断裁線Ｄ１、Ｄ２として表示部１２に表示させることとしてもよい。
【０１１３】
その他、本実施の形態における、画像形成装置の細部構造及び詳細動作に関しても、本発明の趣旨を逸脱しない範囲で適宜変更可能である。
【符号の説明】
【０１１４】
１     画像形成装置
９     ＰＣ
１０   制御部
１１   操作部
１２   表示部
１３   ＲＡＭ
１４   画像形成情報
１５   後処理情報
１７   スキャナ部
１８   プリンタ部
１９   ネットワーク部
２０   Ｉ／Ｆ部
３０   制御部
３１   操作部
３２   表示部
３３   記憶部
３４   通信部
１１１ トンボマーク選択画面
１１１Ａ  コーナートンボ選択ボタン
１１１Ｂ  センタートンボ選択ボタン
１１１Ｃ  機能表示部
１１１Ｄ  トンボマーク表示部
１４１    後処理選択画面
１５１    後処理設定画面
１６１    トンボマーク選択画面
Ｐ        合成画像データ
【図１】
2012019309.tif 000003
【図２】
2012019309.tif 000004
【図３】
2012019309.tif 000005
【図４】
2012019309.tif 000006
【図５】
2012019309.tif 000007
【図６】
2012019309.tif 000008
【図７】
2012019309.tif 000009
【図８】
2012019309.tif 000010
【図９】
2012019309.tif 000011
【図１０】
2012019309.tif 000012
【図１１】
2012019309.tif 000013
【図１２】
2012019309.tif 000014
【図１３】
2012019309.tif 000015
【図１４】
2012019309.tif 000016
【図１５】
2012019309.tif 000017
【図１６】
2012019309.tif 000018